(57)【要約】【課題】  電気の知識に疎い者であっても電気機器を安全に起動することができるようにすること。【解決手段】  配電用遮断器の下流側において当該配電系統における現在の使用電力量を計測する使用電力測定手段と、前記配電用遮断器の下流側に接続された電気機器内に組み込まれた起動制御装置とを設け、前記起動制御装置で、前記使用電力測定手段から当該配電系統における現在の使用電力量のデータを取得し、そのデータと前記起動制御装置が組み込まれている電気機器の使用電力量のデータと加算し、当該電気機器を起動した場合の当該配電系統における使用電力量を算出し、その算出した使用電力量が前記配電用遮断器の許容電力の範囲内であるか否かを判定し、範囲内であれば当該電気機器の起動を許可し、範囲外であった場合には起動を不許可とする。【選択図】      図７
2013078205.tif 000002
【特許請求の範囲】
【請求項１】
配電用遮断器の下流側において当該配電系統における現在の使用電力量を計測する使用電力測定手段と、前記配電用遮断器の下流側に接続された電気機器内に組み込まれた起動制御装置とから成り、
前記起動制御装置が、前記使用電力測定手段から当該配電系統における現在の使用電力量のデータを取得し、そのデータと前記起動制御装置が組み込まれている電気機器の使用電力量のデータと加算し、当該電気機器を起動した場合の当該配電系統における使用電力量を算出し、その算出した使用電力量が前記配電用遮断器の許容電力の範囲内であるか否かを判定し、範囲内であれば当該電気機器の起動を許可し、範囲外であった場合には起動を不許可とする起動判断手段を備えることを特徴とする電気機器の起動制御システム。
【請求項２】
前記起動判断手段が、算出した使用電力量が前記配電用遮断器の許容電力の範囲外であった場合に、当該電気機器が省エネモードで起動可能な機能を有しているかを判断し、省エネモードで起動可能な機能を有しており、かつ省エネモードで起動した場合の当該配電系統における使用電力量が前記配電用遮断器の許容電力の範囲内であれば、省エネモードでの起動を指示して当該電気機器を起動させる手段をさらに備えることを特徴とする請求項１に記載の電気機器の起動制御システム。
【請求項３】
前記起動判断手段が、前記電気機器を起動する場合に、前記省エネモードでの起動を指示した場合、省エネモードに対応する色で起動モードを表示し、省エネモードとは異なる通常モードで起動を指示した場合、通常モードに対応する色で起動モードを表示する手段をさらに備えることを特徴とする請求項２に記載の電気機器の起動制御システム。
【請求項４】
前記起動判断手段が、当該電気機器の起動後、当該配電系統で使用可能な残電力量を算出し、文字表示させる手段をさらに備えることを特徴とする請求項１〜３のいずれかに記載の電気機器の起動制御システム。
【請求項５】
配電用遮断器の下流側において当該配電系統における現在の使用電力量を計測する使用電力測定手段と、前記配電用遮断器の下流側に接続された電気機器内に組み込まれた起動制御装置とから構成されるシステムの起動制御方法であって、
前記起動制御装置が、前記使用電力測定手段から当該配電系統における現在の使用電力量のデータを取得し、そのデータと前記起動制御装置が組み込まれている電気機器の使用電力量のデータと加算し、当該電気機器を起動した場合の当該配電系統における使用電力量を算出し、その算出した使用電力量が前記配電用遮断器の許容電力の範囲内であるか否かを判定し、範囲内であれば当該電気機器の起動を許可し、範囲外であった場合には起動を不許可とする判断ステップを備えることを特徴とする電気機器の起動制御方法。
【請求項６】
前記判断ステップが、算出した使用電力量が前記配電用遮断器の許容電力の範囲外であった場合に、当該電気機器が省エネモードで起動可能な機能を有しているかを判断し、省エネモードで起動可能な機能を有しており、かつ省エネモードで起動した場合の当該配電系統における使用電力量が前記配電用遮断器の許容電力の範囲内であれば、省エネモードでの起動を指示して当該電気機器を起動させるステップをさらに備えることを特徴とする請求項５に記載の電気機器の起動制御方法。
【請求項７】
前記判断ステップが、前記電気機器を起動する場合に、前記省エネモードでの起動を指示した場合、省エネモードに対応する色で起動モードを表示し、省エネモードとは異なる通常モードで起動を指示した場合、通常モードに対応する色で起動モードを表示するステップをさらに備えることを特徴とする請求項６に記載の電気機器の起動制御方法。
【請求項８】
前記判断ステップが、当該電気機器の起動後、当該配電系統で使用可能な残電力量を算出し、文字表示させるステップをさらに備えることを特徴とする請求項５〜７のいずれかに記載の電気機器の起動制御方法。
【発明の詳細な説明】
【技術分野】
【０００１】
本発明は、配電系統に接続された電気機器を配電用遮断器が許容できる電力量を考慮して起動する電気機器の制御システム及び制御方法に関するものである。
【背景技術】
【０００２】
電気機器を利用する際には、配電盤内の開閉器を投入し、配電用遮断器の下流に接続された電気機器に電力を供給することで、起動することになる。しかし、配電用遮断器の許容電力量を超えた場合は、当該遮断器が作動し、当該配電用遮断器の下流側に供給されていた電力は遮断される。
したがって、当該配電系統に接続した電気機器を起動する場合、当該電気機器の消費電力を把握したうえで起動しなければならない。当該電気機器を起動したために当該配電系統の消費電力量が遮断器の許容電力量を上回った場合には当該配電系統に接続されていた全ての電気機器への電力供給が停止され、不測の事故や障害を引き起こすことがある。
この種の技術の先行技術文献として下記のようなものがある。
【先行技術文献】
【特許文献】
【０００３】
【特許文献１】特開平６−１８９４５５号
【特許文献２】特開平７−２２２３８０号
【発明の概要】
【発明が解決しようとする課題】
【０００４】
しかし、電気の知識のある者であれば、事前に消費電力量（使用電力量）を把握した上で起動することが可能であるが、そうでない場合には配電系統に接続した直後に直ちに起動してしまい、結果的に配電用遮断器を作動させてしまい、当該配電系統に接続されていた全ての電気機器への電力供給を停止させてしまうことがある。
本発明の目的は、配電系統に接続した電気機器を起動する場合に、電気の知識に疎い者であっても安全に起動することができる起動制御システム及び起動制御方法を提供することにある。
【課題を解決するための手段】
【０００５】
上記目的を達成するために、本発明に係る電気機器の起動制御システムは、配電用遮断器の下流側において当該配電系統における現在の使用電力量を計測する使用電力測定手段と、前記配電用遮断器の下流側に接続された電気機器内に組み込まれた起動制御装置から成り、前記起動制御装置が、前記使用電力測定手段から当該配電系統における現在の使用電力量のデータを取得し、そのデータと前記起動制御装置が組み込まれている電気機器の使用電力量のデータと加算し、当該電気機器を起動した場合の当該配電系統における使用電力量を算出し、その算出した使用電力量が前記配電用遮断器の許容電力の範囲内であるか否かを判定し、範囲内であれば当該電気機器の起動を許可し、範囲外であった場合には起動を不許可とする起動判断手段を備えることを特徴とする。
また、前記起動判断手段が、算出した使用電力量が前記配電用遮断器の許容電力の範囲外であった場合に、当該電気機器が省エネモードで起動可能な機能を有しているかを判断し、省エネモードで起動可能な機能を有しており、かつ省エネモードで起動した場合の当該配電系統における使用電力量が前記配電用遮断器の許容電力の範囲内であれば、省エネモードでの起動を指示して当該電気機器を起動させる手段をさらに備えることを特徴とする。
また、前記起動判断手段が、前記電気機器を起動する場合に、前記省エネモードでの起動を指示した場合、省エネモードに対応する色で起動モードを表示し、省エネモードとは異なる通常モードで起動を指示した場合、通常モードに対応する色で起動モードを表示する手段をさらに備えることを特徴とする。
また、前記起動判断手段が、当該電気機器の起動後、当該配電系統で使用可能な残電力量を算出し、文字表示させる手段をさらに備えることを特徴とする。
【０００６】
また、本発明に係る電気機器の起動制御方法は、配電用遮断器の下流側において当該配電系統における現在の使用電力量を計測する使用電力測定手段と、前記配電用遮断器の下流側に接続された電気機器内に組み込まれた起動制御装置から構成されるシステムの起動制御方法であって、
前記起動制御装置が、前記使用電力測定手段から当該配電系統における現在の使用電力量のデータを取得し、そのデータと前記起動制御装置が組み込まれている電気機器の使用電力量のデータと加算し、当該電気機器を起動した場合の当該配電系統における使用電力量を算出し、その算出した使用電力量が前記配電用遮断器の許容電力の範囲内であるか否かを判定し、範囲内であれば当該電気機器の起動を許可し、範囲外であった場合には起動を不許可とする判断ステップを備えることを特徴とする。
また、前記判断ステップが、算出した使用電力量が前記配電用遮断器の許容電力の範囲外であった場合に、当該電気機器が省エネモードで起動可能な機能を有しているかを判断し、省エネモードで起動可能な機能を有しており、かつ省エネモードで起動した場合の当該配電系統における使用電力量が前記配電用遮断器の許容電力の範囲内であれば、省エネモードでの起動を指示して当該電気機器を起動させるステップをさらに備えることを特徴とする。
また、前記判断ステップが、前記電気機器を起動する場合に、前記省エネモードでの起動を指示した場合、省エネモードに対応する色で起動モードを表示し、省エネモードとは異なる通常モードで起動を指示した場合、通常モードに対応する色で起動モードを表示するステップをさらに備えることを特徴とする。
また、前記判断ステップが、当該電気機器の起動後、当該配電系統で使用可能な残電力量を算出し、文字表示させるステップをさらに備えることを特徴とする。
【発明の効果】
【０００７】
本発明によれば、電気の知識に疎い者であっても電気機器を安全に起動することができる。そして、配電系統の許容電力量が少ない場合には省エネモードでの起動を指示して省エネモードで起動することが可能になり、省エネモード起動に切り替えるための高度な操作を行う必要がない。また、省エネモードか通常モードかが色分けして表示されるため、視覚的に起動モードが分かり、現在の電力状況を容易に把握することが可能になる。
【図面の簡単な説明】
【０００８】
【図１】本発明の一実施の形態例を示すシステム構成図である。
【図２】起動制御装置の詳細構成図である。
【図３】電気機器の電力情報の例を示すデータ構成図である。
【図４】使用電力量記憶装置１０６に記憶される電力情報を示すデータ構成図である。
【図５】表示部１０４８に表示させる電力情報の例を示すデータ構成図である。
【図６】電気機器の起動形式の判断手順を示すフローチャートである。
【図７】電灯部の発光色制御処理の概要を示すフローチャートである。
【図８】利用者が電気機器を利用するまでの手順を示すシーケンス図である。
【図９】現在の電力量を画面に文字表示した例を示す画面表示図である。
【図１０】電気機器の起動スイッチを投入したときの電灯部の表示例を示す図である。
【発明を実施するための形態】
【０００９】
以下、本発明の実施形態を図面により詳細に説明する。
図１は、本発明の一実施の形態例を示すシステム構成図である。
図１において、１０１は配電用母線１００に接続された配電用遮断器であり、この遮断器１０１の下流側が当該遮断器の配電系統となる。
この配電系統には、当該配電系統における現在の使用電力量（実測値）を計測する使用電力測定器１０２が接続されると共に、複数の電気機器１０３ａ〜１０３ｃが接続されている。
この電気機器１０３ａ〜１０３ｃには、本発明に係る起動制御装置１０４が組み込まれており、電気機器１０３ａ〜１０３ｃの機器本体１０５に電磁開閉器ＳＷを介して電力を供給するようになっている。
ここで、機器本体１０５とは、例えば電気機器１０３ａが１台のパソコンであれば、そのパソコンで電力を消費している全ての電気回路である。また、電灯であれば、発光体を構成する発光素子である。
【００１０】
起動制御装置１０４は、起動スイッチ１０７を投入（ＯＮ）することにより起動し、
動作状態になる。
使用電力測定器１０２には、計測した当該配電系統における現在の使用電力量Ｐｄ（実測値）を記憶し、起動制御装置１０４からの要求に応じて現在の使用電力量のデータＰｄを要求元に配信する使用電力量記憶装置１０６が接続されている。
図２は、電気機械器具１０３ａ〜１０３ｃの起動制御装置１０４の詳細構成図である。
ここで示す起動制御装置１０４は、使用電力量記憶部１０４１、電力量計算処理部１０４２、電力量表示処理部１０４４及び起動形式処理部１０４５から構成される起動判断処理部１０４３、発光色処理部１０４６、電灯部１０４７、表示部１０４８で構成されている。
【００１１】
使用電力量記憶部１０４１は、電気機器１０３の機器本体１０５の使用電力量（定格値）を記憶するものであり、図３に例示するように、電気機器ＩＤ３０１、通常時における最大消費電力量（定格値）３０２、省エネ時最大消費電力量（定格値）３０３、起動形式３０４を記憶している。起動形式３０４は当該電気機器が省エネモードでの起動形式を選択できるか否かを提示するものである。
なお、起動制御装置１０４自体も電力を消費するが、この電力は機器本体１０５から見れば僅かであるので、当該電気機器１０３を起動した際の当該配電系統における使用電気量を計算する場合に考慮するようにしている。
【００１２】
電力量計算処理部１０４２は、当該電気機器１０３を起動した際の当該配電系統における使用電力量Ｐｊ（＝現在の使用電力量の実測値Ｐｄ＋電気機器１０３の最大消費電力量）を計算するものであり、計算結果は使用電力量記憶部１０４１に一時記憶される。
起動判断処理部１０４３は、電力量計算処理部１０４２で計算した使用電力量Ｐｊが、配電用遮断器１０１の許容電力Ｐｋの範囲内であるか否かを判定し、範囲内であれば当該電気機器１０３の起動を許可し、範囲外であった場合には起動を不許可とするものであり、起動を許可した場合、電磁開閉器ＳＷをＯＮにする。また、当該機器本体１０５が省エネモードで起動可能な機能を有しているかを判断し、省エネモードで起動可能な機能を有しており、かつ省エネモードで起動した場合の当該配電系統における使用電力量が配電用遮断器１０１の許容電力Ｐｋの範囲内であれば、省エネモードでの起動を指示して当該機器本体１０５を起動させる。
【００１３】
電力量表示部１０４４は、起動した後の当該配電系統における残消費電力量などを表示部１０４８に文字表示させるものであり、例えば図９に示すような情報を文字表示する。
なお、文字表示するための計算処理は電力量計算処理部１０４２が使用電力量記憶装置１０６に記憶されているデータや使用電力量記憶部１０４１に一時記憶されているデータに基づいて計算する。
図９に例示する表示内容は、配電用遮断器１０１の最大許容電力量（定格値）９０２、消費可能電力量(定格値)９０３、起動形式９０４、残電力量（定格値）９０５、電気機器１０３の機器本体１０５の最大消費電力量(通常時定格値)９０６、最大消費電力量(省エネ時定格値)９０７で構成されている。
【００１４】
このうち、配電用遮断器１０１の最大許容電力量９０２は配電用遮断器１０１自体で定まる固定値であり、使用電力量記憶装置１０６に格納されている配電用遮断器最大許容電力量４０５から取得する。
消費可能電力量９０３は、当該電気機器１０３を起動する前の消費可能な電力量であり、配電用遮断器最大許容電力量４０５から使用電力測定器１０２が計測している現在の使用電力量（実測値）Ｐｄを減算したものである。
起動形式９０４は、当該電気機器を通常モードで起動しているか、省エネモードで起動しているかを示すものであり、起動形式処理部１０４５の判断結果に基づいて表示される。
【００１５】
残電力量９０５は、当該電気機器１０３を起動した後の消費可能な残電力量を表すものであり、次の計算式によって算出される。
残電力量９０５＝（配電用遮断器最大許容電力量４０５）−（使用電力測定器１０２が計測している現在の使用電力量（実測値）Ｐｄ＋当該電気機器１０３の最大消費電力量（定格値）
最大消費電力量(通常時)９０６は、使用電力量記憶装置１０６に格納されている電気機器１０３の機器本体１０５の最大消費電力量(通常時)４０２から取得して表示する。
最大消費電力量(省エネ時)９０７は、前記と同様に、使用電力量記憶装置１０６に格納されている電気機器１０３の機器本体１０５の最大消費電力量(省エネ時)４０３から取得して表示する。
【００１６】
図４は、使用電力量記憶装置１０６に記憶されているデータの例を示す図であり、電気機器ＩＤ４０１、通常時最大消費電力量（定格値）（Ｗ）４０２、省エネルギー時最大消費電力量（定格値）（Ｗ）４０３、起動形式４０４、配電用遮断器最大許容電力量（定格値）（Ｗ）４０５、消費電力量（実測値）（Ｗ）４０６、消費可能電力量（Ｗ）４０７から構成され、電気機械器具１０３が当該配電系統に接続され、動作状態になる度に、電気機器１０３の使用電力量記憶部１０４１から電気機器ＩＤ、通常時最大消費電力量（Ｗ）、省エネルギー時最大消費電力量（Ｗ）、起動形式の情報を取得し、電気機器ＩＤ別に更新している。更新後、使用電力測定器１０２に接続し、電力を使用している全ての電気機器１０３の情報と使用電力測定器１０２が計測している現在の使用電力量（実測値）Ｐｄとに基づき、消費電力量（Ｗ）４０６、消費可能電力量（Ｗ）４０７のデータを更新している。また、図５は、表示部１０４８に表示させる電力情報の例を示すデータ構成図である。配線用遮断器最大許容電力量５０１、消費電力量５０２、消費可能電力量５０３、該当機器起動後
消費可能電力量（通常時）５０４、該当機器起動後消費可能電力量（省エネ時）５０５、起動形式５０６が含まれる。
【００１７】
図６は、起動スイッチ１０６を投入した場合の電気機器１０３の起動形式を判断する手順を示すフローチャートである。
起動スイッチ１０７を投入しているか判断する（ステップ６０１）。起動スイッチ１０７がＯＮになっていた場合には使用電力測定器１０２に要求を送り、実測している使用電力のデータを受信し、使用電力量記憶装置１０６のデータを更新する（ステップ６０２）。
次に、電力量計算処理部１０４２で、電気機器１０３が接続されている配電系統の現在の使用電力量の実測値Ｐｄを使用電力測定器１０２から取得し、電力量計算処理部１０４２で電気機器１０３を起動した後の使用電力量Ｐｊ（＝現在の使用電力量の実測値Ｐｄ＋電気機器１０３の最大消費電力量）を算出し、その使用電力量Ｐｊが、配電用遮断器１０１の許容電力Ｐｋの範囲内であるか否かを判定する（ステップ６０３）。許容電力Ｐｋの範囲内であれば当該電気機器１０３の起動を許可し、範囲外であった場合には起動を不許可とする。起動を許可した場合、電磁開閉器ＳＷをＯＮにする。また、当該機器本体１０５が省エネモードで起動可能な機能を有しているかを判断し（ステップ６０４）、省エネモードで起動可能な機能を有しており、かつ省エネモードで起動した場合の当該配電系統における使用電力量が配電用遮断器１０１の許容電力Ｐｋの範囲内であれば、省エネモードでの起動を指示して当該機器本体１０５を起動させる（ステップ６０６）。省エネモードで起動可能な機能を有していない場合は通常モードで起動する（ステップ６０５）。
【００１８】
その後、起動後の電力情報、すなわち消費可能電力量、残電力量を再計算し、使用電力量記憶装置１０６のデータを更新し、さらに表示部１０４８に表示させるデータを更新する（ステップ６０７）。
次に、発光色処理部１０４６でステップ６０４で判断した起動形式に従い電灯部１０４７の表示色を変化させる（ステップ６０８）。
【００１９】
図７は、電灯部１０４７の発光色を判断する場合の発光色処理手順を示すフローチャートである。
図６のステップ６０４で判断した起動形式を判断する（ステップ７０１）。起動形式が通常形式の場合、電灯部１０４７を青色で発光させ（ステップ７０２）。起動形式が省エネルギーモードの場合、電灯部１０４７を緑色で発光させる（ステップ７０３）。電気機器１０３を停止する、すなわち省エネモードでも電気機器が起動できず、図６のステップ６０３で許容電力Ｐｋの範囲外であり、起動を許可することができないと判断した場合、電灯部１０４７を赤色で点滅発光し、電灯部１０４７を消灯する（ステップ７０４）。
【００２０】
図７は、利用者８１０が電気機器１０３を利用する場合のシステム全体の主要な処理を示すシーケンス図である。
利用者８１０が電気機器１０３の起動スイッチ１０７を投入する（ステップ８１１）。
すると、電気機器１０３が動作状態になり、当該機器１０３の起動制御装置１０４から使用電力測定器１０２に対して現在計測している使用電力量の実測値Ｐｄの要求が送信される（ステップ８１２）。
そこで、電力測定器１０２は要求元の起動制御装置１０４に配電系統における現在の電力使用量の実測値Ｐｄを送信する（ステップ８１３）。
起動制御装置１０４は、受信した現在の電力使用量の実測値Ｐｄを参照し、当該電気機器１０３を起動した際の当該配電系統における使用電力量Ｐｊ（＝現在の使用電力量の実測値Ｐｄ＋電気機器１０３の最大消費電力量）を計算し、その計算結果を使用電力量記憶部１０４１に一時記憶させる(ステップ８１４)。
【００２１】
次に、起動制御装置１０４は、計算した使用電力量Ｐｊが、配電用遮断器１０１の許容電力Ｐｋの範囲内であるか否かを判定し、範囲内であれば当該電気機器１０３の起動を許可し、範囲外であった場合には起動を不許可とする判断を行う。また、当該機器本体１０５が省エネモードで起動可能な機能を有しているかを判断し、省エネモードで起動可能な機能を有しており、かつ省エネモードで起動した場合の当該配電系統における使用電力量が配電用遮断器１０１の許容電力Ｐｋの範囲内であれば、省エネモードでの起動を指示して当該機器本体１０５を起動させるという判断を行う(ステップ８１６)。
【００２２】
一方、起動形式として省エネモードを選択した場合、電灯部１０４７に対し、発光色信号を送信し、指定した色で発光させる（ステップ８１７，８１８）。
また、起動制御装置１０４は、表示部１０４８に表示させる電力情報を作成し、表示部１０４８に送信する(ステップ８２０)。表示部１０４８は、受信したデータに従い電力情報を図９で例示したように文字表示する（ステップ８２０）。
起動制御装置１０４は、計算した使用電力量Ｐｊが、配電用遮断器１０１の許容電力Ｐｋの範囲内であれば当該電気機器１０３の起動を許可し、電磁開閉器ＳＷをＯＮにし、当該電気機器１０３に電力を供給する（ステップ８２１）。また、当該機器本体１０５が省エネモードで起動可能な機能を有しているかを判断し、省エネモードで起動可能な機能を有しており、かつ省エネモードで起動した場合の当該配電系統における使用電力量が配電用遮断器１０１の許容電力Ｐｋの範囲内であれば、省エネモードでの起動を指示して当該機器本体１０５を起動させる(ステップ８２２)。
【００２３】
図１０は、電気機器１０３に設けた電灯部１０４７を多様な色で発光させることで、現在の電力状況を視覚化した一例を示す図である。
【００２４】
以上のように本実施形態によれば、配電用遮断器の下流側において当該配電系統における現在の使用電力量を計測する使用電力測定手段と、前記配電用遮断器の下流側に接続された電気機器内に組み込まれた起動制御装置とを設け、前記起動制御装置で、前記使用電力測定手段から当該配電系統における現在の使用電力量のデータを取得し、そのデータと前記起動制御装置が組み込まれている電気機器の使用電力量のデータと加算し、当該電気機器を起動した場合の当該配電系統における使用電力量を算出し、その算出した使用電力量が前記配電用遮断器の許容電力の範囲内であるか否かを判定し、範囲内であれば当該電気機器の起動を許可し、範囲外であった場合には起動を不許可とするように構成したため、電気の知識に疎い者であっても電気機器を安全に起動することができる。
【００２５】
また、算出した使用電力量が前記配電用遮断器の許容電力の範囲外であった場合に、当該電気機器が省エネモードで起動可能な機能を有しているかを判断し、省エネモードで起動可能な機能を有しており、かつ省エネモードで起動した場合の当該配電系統における使用電力量が前記配電用遮断器の許容電力の範囲内であれば、省エネモードでの起動を指示して当該電気機器を起動させるように構成したため、配電系統の許容電力量が少ない場合には省エネモードでの起動を指示して省エネモードで起動することが可能になり、省エネモード起動に切り替えるための高度な操作を行う必要がない。
【００２６】
また、省エネモードでの起動を指示した場合、省エネモードに対応する色で起動モードを表示し、省エネモードとは異なる通常モードで起動を指示した場合、通常モードに対応する色で起動モードを表示するように構成したため、省エネモードか通常モードかが色分けして表示され、視覚的に起動モードが分かり、現在の電力状況を容易に把握することが可能になる。
【００２７】
また、電気機器の起動後、当該配電系統で使用可能な残電力量を算出し、文字表示させるように構成したため、当該配電系統で使用可能な残電力量を即座に判断し、新たな電気機器が接続可能かどうかを判断できる。
【符号の説明】
【００２８】
１０１    配電用遮断器
１０２    使用電力測定器
１０３ａ〜１０３ｃ    電気機器
１０４    起動制御装置
１０５    機器本体
ＳＷ      電磁開閉器
１０６    起動スイッチ
１０４１    使用電力量記憶部
１０４２    電力量計算処理部
１０４３    起動判断処理部
１０４４    電力量表示処理部
１０４５    起動形式処理部
１０４６    発光色処理部
１０４７    電灯部
１０４８    表示部
【図１】
2013078205.tif 000003
【図２】
2013078205.tif 000004
【図３】
2013078205.tif 000005
【図４】
2013078205.tif 000006
【図５】
2013078205.tif 000007
【図６】
2013078205.tif 000008
【図７】
2013078205.tif 000009
【図８】
2013078205.tif 000010
【図９】
2013078205.tif 000011
【図１０】
2013078205.tif 000012